(57)【特許請求の範囲】
【請求項１】
斬新なロータリスイッチであって、
内部に収容溝を形成していて、かつ最上部より回転軸ブッシュを延在する主カーバーであって、
当該収容溝の底部に形成された第１回動制限ブロックと、
当該主カーバーの一側方に形成された側方切り欠きと、
それぞれが当該主カーバーの外面で当該回転軸ブッシュ近傍に互いに対向するように形成され、各々が板状ナットを収容するナット収容溝と支え溝とを内部に有し、複数の板状ナットと複数のスクリューとが組み合わせられて、当該斬新なロータリスイッチを電気製品に取り付け可能とする複数の肩部締め付け具と、
当該主カーバーの側面周囲に形成された複数の第１締結具と、
当該収容溝の内壁面に形成された嵌着柱と、
当該主カーバーの最上部表面の上方で当該回転軸ブッシュの周囲に形成された四分の一の円弧状切り欠きである二重安全切り欠きと、を含む主カーバーと、
前記収容溝の内部に収容していて、かつ第１上端が前記回転軸ブッシュに沿って前記主カーバーに露出する中空状外部回転軸と、
前記中空状外部回転軸の前記第１底端に接続していて、かつその縁部に複数の第１溝を形成する第１回転ディスクと、
第１ばね収容溝を有し、前記第１ばね収容溝にて第１ばねを収容し、前記複数の第１溝のいずれか一つに嵌め込まれ、かつ前記第１ばねから提供する前記第１ばねの付勢力によって、前記第１回転ディスクに突っ張る第１突っ張り具と、
第１取付部と、複数の第１電気接触部と、を含み、前記第１取付部を前記第１回転ディスクの底部表面に取付けていて、かつ前記複数の第１電気接触部は第１斜角より前記第１取付部から下方に伸ばして通す第１金属ばね板と、
前記中空状外部回転軸の内部に収容されていて、かつその第２上端が前記中空状外部回転軸と、前記回転軸ブッシュに沿って、前記主カーバーの外部につき出す内部回転軸と、
前記中空状外部回転軸の前記第２底端に接続していて、かつその縁部に複数の第２溝を形成する第２回転ディスクと、
第２ばね収容溝を有し、前記第２ばね収容溝にて前記第２ばねを収容し、前記複数の第２溝のいずれか一つに嵌め込まれ、かつ前記第２ばねから提供する前記第２ばねの付勢力によって、前記第２回転ディスクに係止する第２突っ張り具と、
第２取付部と、複数の第２電気接触部と、を含み、前記第１取付部を前記第２回転ディスクの底部表面に取付けていて、かつ前記複数の第２電気接触部は第２斜角より前記第１取付部から下方に伸ばして通す第２金属ばね板と、
その上面に複数の第１電気導通区域と、その下面に複数の第２電気導通区域をそれぞれ設け、その上部にはセンター穴と、電気導通区域をさらに設け、センター穴を前記内部回転軸の前記第２底端に装着することによって、前記第１回転ディスクと、前記第２回転ディスクとの間に位置し、これにより、前記第１金属ばね板の前記複数の前記第１電気接触部を前記複数の第１電気導通区域に接触し、前記第２金属ばね板の複数の前記第２電気接触部を前記複数の第２電気導通区域に接触する両面の電気回路板と、
前記主カーバーと結合して前記収容溝を被い、前記主カーバーとを合わせてロータリスイッチケースを構成し、前記ロータリスイッチケースに前記電気導通区域を通す引き出し穴を設け、前記電気導通区域と、外部の電気リード線と電気導通を形成する底部カーバープレートと、を含むことを特徴とする、
斬新なロータリスイッチ。
【請求項２】
前記電気導通区域の上方に、複数の半田付け穴を設けることによって、前記電気リード線の複数の半田リードがそれぞれ前記複数の半田付け穴に通されていることを特徴とする、請求項１記載の斬新なロータリスイッチ。
【請求項３】
斬新なロータリスイッチであって、
内部に収容溝を形成していて、かつ最上部より回転軸ブッシュを延在する主カーバーと、
前記収容溝の内部に収容していて、かつ第１上端が前記回転軸ブッシュに沿って前記主カーバーに露出する中空状外部回転軸と、
前記中空状外部回転軸の前記第１底端に接続していて、かつその縁部に複数の第１溝を形成する第１回転ディスクと、
第１ばね収容溝を有し、前記第１ばね収容溝にて第１ばねを収容し、前記複数の第１溝のいずれか一つに嵌め込まれ、かつ前記第１ばねから提供する前記第１ばねの付勢力によって、前記第１回転ディスクに突っ張る第１突っ張り具と、
第１取付部と、複数の第１電気接触部と、を含み、前記第１取付部を前記第１回転ディスクの底部表面に取付けていて、かつ前記複数の第１電気接触部は第１斜角より前記第１取付部から下方に伸ばして通す第１金属ばね板と、
前記中空状外部回転軸の内部に収容されていて、かつその第２上端が前記中空状外部回転軸と、前記回転軸ブッシュに沿って、前記主カーバーの外部につき出す内部回転軸と、
前記中空状外部回転軸の前記第２底端に接続していて、かつその縁部に複数の第２溝を形成する第２回転ディスクと、
第２ばね収容溝を有し、前記第２ばね収容溝にて前記第２ばねを収容し、前記複数の第２溝のいずれか一つに嵌め込まれ、かつ前記第２ばねから提供する前記第２ばねの付勢力によって、前記第２回転ディスクに係止する第２突っ張り具と、
第２取付部と、複数の第２電気接触部と、を含み、前記第１取付部を前記第２回転ディスクの底部表面に取付けていて、かつ前記複数の第２電気接触部は第２斜角より前記第１取付部から下方に伸ばして通す第２金属ばね板と、
その上面に複数の第１電気導通区域と、その下面に複数の第２電気導通区域をそれぞれ設け、その上部にはセンター穴と、電気導通区域をさらに設け、センター穴を前記内部回転軸の前記第２底端に装着することによって、前記第１回転ディスクと、前記第２回転ディスクとの間に位置し、これにより、前記第１金属ばね板の前記複数の前記第１電気接触部を前記複数の第１電気導通区域に接触し、前記第２金属ばね板の複数の前記第２電気接触部を前記複数の第２電気導通区域に接触する両面の電気回路板と、
前記主カーバーと結合して前記収容溝を被い、前記主カーバーとを合わせてロータリスイッチケースを構成し、前記ロータリスイッチケースに前記電気導通区域を通す引き出し穴を設け、前記電気導通区域と、外部の電気リード線と電気導通を形成する底部カーバープレートと、
回転ヘッドが、内部回転軸の第２上端と、前記中空状外部回転軸の前記第１上端とを収容する方式によって、当該内部回転軸と、当該中空状外部回転軸とに結合するべく、当該回転ヘッドに結合するとともに前記中空状外部回転軸の前記第１上端の嵌着溝に嵌着するＣ形取付リングと、を含むことを特徴とする、
斬新なロータリスイッチ。
【請求項４】
前記底部カーバーは、
それぞれ少なくとも２つの支え溝に嵌着するため、少なくとも２つの支え具と、
複数の前記第１締結具と互いに締結する複数の第２締結具と、
底部カーバープレートの最上部表面の上方に形成する少なくとも一つの第２回動制限ブロックと、
底部カーバープレートの最上部表面の縁部の上方に形成され、側方切り欠きと合わせて引き出し穴を構成する側方つき出し壁と、をさらに含むことを特徴とする、請求項１記載の斬新なロータリスイッチ。
【請求項５】
両面の電気回路板は、嵌着柱をその内部に嵌め込む切り欠きをさらに含み、これにより前記両面の電気回路板を収容溝へ安定に収容できることを特徴とする、請求項１記載の斬新なロータリスイッチ。
【請求項６】
第１回転ディスクは、
第１回転ディスクの最上部表面の上方に形成され、第１回動制限ブロックと合わせて、第１回転ディスクの回動を制限する第３回動制限ブロックと、
前記第１回転ディスクの底面の上方に形成され、前記第１取付部と互いに結合することによって、前記第１金属ばね板を第１回転ディスクの底面に取付ける第１弾性結合具と、を含むことを特徴とする、請求項４記載の斬新なロータリスイッチ。
【請求項７】
第２回転ディスクは、
第２回転ディスクの最上部表面の上方に形成され、第２回動制限ブロックと合わせて、第２回転ディスクの回動を制限する第４回動制限ブロックと、
前記第２回転ディスクの上面の上方に形成され、前記第２取付部と互いに結合することによって、前記第２金属ばね板を第２回転ディスクの底面に取付ける第２弾性結合具と、を含むことを特徴とする、請求項６記載の斬新なロータリスイッチ。
【発明の詳細な説明】
【技術分野】
【０００１】
本発明はスイッチ素子に関し、特に斬新なロータリスイッチに関する。
【背景技術】
【０００２】
ロータリスイッチは電気製品によく使われており、特に扇風機、灯具、洗濯機など段切り換えを必要とする電気製品に幅広く応用されている。そのため、ロータリスイッチは一般として複数の機能段切り換えを有しており、使用者がロータリスイッチの調節ノブを回すことによって、機能段の切り換え及びオンオフの目的を達成できる。
【０００３】
図１と２の、公知のロータリスイッチの爆発線図と、立体図とを参照する。図１と２に示すように、公知のロータリスイッチ１’は複数の段切り換え機能を有しており、カーバー体１０Ａ’と、ベース１０Ｂ’と、回転ユニット２’と、電気回路板３’と、回転ディスク突っ張り具４’と、２つのばね５’と、スイッチ組６’と、を含む。そのうち、カーバー体１０Ａ’の上に第１開口部１１’を開けていて、かつベース１０Ｂ’の上に第２開口部１２’を開けられている。
【０００４】
回転ユニット２’をカーバー体１０Ａ’とベース１０Ｂ’との間に設けていて、かつ回転ユニット２’を含む回転本体２０’と、回転ディスク２２’と、カム２１’と、導電プレート２３’と、を含む。そのうち、カム２１’の最上部は電気回路板３’のとおり穴３１’を介して回転本体２０’の底端に接続し、カム２１’の底部をベース１０Ｂ’の第２開口部１２’に嵌め込む。さらに、回転本体２０’の上端が第１開口部１１’を貫いて、カーバー体１０Ａ’の外部につき出している。
この他に、回転ディスク突っ張り具４’が２つのばね５’の付勢力によって、回転ディスク２２’の側方いずれかの溝２２０’に突っ張っている。さらに、導電プレート２３’の２つの導電突起部２３０’を電気回路板３’に設けられた複数の電気導通区域３０’いずれかの２つと電気導通されている。
【０００５】
引き続き、図１と２を参照する。少なくとも一つの第１締結具１００’と、少なくとも一つの第２締結具１０１’が互いに締結していて、回転ユニット２’と、電気回路板３’と、回転ディスク突っ張り具４’と、ばね５’とがカーバー体１０Ａ’とベース１０Ｂ’からなるスイッチケースによって収容されている。この他に、ベース１０Ｂ’底部に備える２つの嵌め合わせ具１０４’を利用して、スイッチ組６’を嵌着することによって、スイッチ組６’をスイッチケースの底部外面に結合することができる。
【発明の概要】
【発明が解決しようとする課題】
【０００６】
図１と２に示すロータリスイッチ１’は、各種の電気製品を製造するときすでに幅広く適用されているものの、係るロータリスイッチ１’には依然として以下の主な欠点がある。
【０００７】
イ、切り換えの段が不足している。ロータリスイッチ１’が１軸片方向回転の設計であり、切り換え段数は最大１６段に及ぶが、特定の電気製品に応用する場合には、１６の切り換え段数ではやや不足している。
【０００８】
ロ、導電プレート２３’の導電突起部２３０’を対応の２つの電気導通区域３０’へ精確に電気接触することはできない。ロータリスイッチ１’を切り換えるときは、回転本体２０’をある角度（例えば２０℃）に回して回転ディスク突っ張り具４’上端を溝２２０’から抜け出してから、溝２２０’に嵌め込む仕組みになっている。しかしながら、回転ディスク突っ張り具４’は２つのばね５’の付勢力によって溝２２０’に嵌め込む構造だが、２つのばね５’から提供する付勢力が釣り合っていないときには、回転ディスク突っ張り具４’を溝２２０’から完全に抜き出して、もう一つの溝２２０’に嵌め込むことはできない。このとき、導電プレート２３’の導電突起部２３０’を２つの電気導通区域３０’に精確に電気接触することができず、電気製品の機能切り換えをスムーズに行うことができない。
【０００９】
公知のロータリスイッチ１’の実務応用面における種々な欠点について、考案者は研究に努めた結果、本発明の斬新なロータリスイッチを考案した。
【課題を解決するための手段】
【００１０】
本発明の主な目的は、公知のロータリスイッチと異なる、斬新なロータリスイッチを提供する。本発明の斬新なロータリスイッチは、２軸双方向回転（可能）な設計になっているため、最大の切り換え段数は３２段に及ぶことができる。この点から分かるように、本発明の斬新なロータリスイッチをすべての電気製品に適用することができ、高度な適用性を示されている。
さらに、斬新なロータリスイッチに特殊な設計の突っ張り具を使用されている。そのうち、突っ張り具に圧縮ばねをその内部に収容するばね収容溝を設けており、ばねが力を受けて圧縮するときに折れ曲がることが防止され、よって、突っ張り具を回転ディスクの溝に完全に嵌め込むことができる。このような方法は、金属ばね板の電気接触部を対応の電気導通ブロックと精確に接触させて、電気製品が順調に機能切り換えることを確保できる。
【００１１】
そのため、本発明の前述目的を達成するため、本案で提供する斬新なロータリスイッチは、内部に収容溝を形成していて、かつ最上部より回転軸ブッシュを延在する主カーバーと、収容溝の内部に収容していて、かつ第１上端が回転軸ブッシュに沿って主カーバーに露出する中空状外部回転軸と、中空状外部回転軸の第１底端に接続していて、かつその縁部に複数の第１溝を形成する第１回転ディスクと、第１ばね収容溝を有し、第１ばね収容溝にて第１ばねを収容、複数の第１溝いずれか一つに嵌め込んでいて、かつ第１ばねから提供する第１ばねの付勢力によって、第１回転ディスクに係止する第１突っ張り具と、第１取付部と、複数の第１電気接触部と、を含む、第１取付部を第１回転ディスクの底部表面に取付けていて、かつ複数の第１電気接触部は第１斜角より第１取付部から下方に伸ばして通す第１金属ばね板と、中空状外部回転軸の内部に収容していて、かつその第２上端は中空状外部回転軸と、回転軸ブッシュに沿って、主カーバーの外部につき出す内部回転軸と、中空状外部回転軸の第２底端に接続していて、かつその縁部に複数の第２溝を形成する第２回転ディスクと、第２ばね収容溝を有し、第２ばね収容溝にて第２ばねを収容、複数の第２溝いずれか一つに嵌め込んでいて、かつ第２ばねから提供する第２ばねの付勢力によって、第２回転ディスクに係止する第２突っ張り具と、第２取付部と、複数の第２電気接触部と、を含む、第１取付部を第２回転ディスクの底部表面に取付けていて、かつ複数の第２電気接触部は第２斜角より第１取付部から下方に伸ばして通す第２金属ばね板と、その上面に複数の第１電気導通区域と、その下面に複数の第２電気導通区域をそれぞれ設けるほかに、その上部にセンター穴と、電気導通区域をさらに設け、装入穴を内部回転軸の第２底端に装着することによって、第１回転ディスクと、第２回転ディスクとの間に位置し、これにより、第１金属ばね板の複数の第１電気接触部を複数の第１電気導通区域に接触し、第２金属ばね板の複数の第２電気接触部を複数の第２電気導通区域に接触する両面の電気回路板と、主カーバーと結合して収容溝を被せ、主カーバーとを合わせてロータリスイッチケースを構成し、ロータリスイッチケースに電気導通区域を通す引き出し穴を設けて、電気導通区域と、外部の電気リード線と電気導通を形成する底部カーバープレートと、を含む。
【発明の効果】
【００１２】
以下の説明から、本発明の斬新なロータリスイッチが次の長所を有することを理解できる。
【００１３】
イ、公知のロータリスイッチとは異なり、本発明の斬新なロータリスイッチは、２軸双方向回転（可能）な設計になっているため、最大の切り換え段数は３２段に及ぶことができる。この点から分かるように、本発明の斬新なロータリスイッチをいずれかの電気製品に適用することができ、高度な適用性を示している。
【００１４】
ロ、さらに、本発明の斬新なロータリスイッチには特殊な設計の突っ張り具（１３，１３ａ）が使用されている。そのうち、突っ張り具に圧縮ばねをその内部に収容するばね収容溝を設けており、ばねが力を受けて圧縮するときに折れ曲がることを防止でき、よって、突っ張り具を回転ディスクの溝に完全に嵌め込むことができる。このような方法は、金属ばね板（１４，１４ａ）の電気接触部（１４２，１４２ａ）を対応の電気導通ブロック（１５１，１５２）と精確に接触させて、電気製品が順調に機能切り換えられることを確保できる。
【００１５】
特に強調したいことは、前述した詳細な説明は、あくまでも本発明の好ましい実施例について説明したものである。ただし、該実施例は本発明になんらの制限を加わるものではない。本発明の技術精神に基づく等効果の応用又は変更は、すべて本発明の特許請求の範囲に含める。
【図面の簡単な説明】
【００１６】
【図１】公知のロータリスイッチの爆発線図である。
【図２】公知のロータリスイッチの立体図である。
【図３】本発明の斬新なロータリスイッチの立体図である。
【図４】本発明の斬新なロータリスイッチの立体図である。
【図５】本発明の斬新なロータリスイッチの爆発線図である。
【図６】本発明の斬新なロータリスイッチの爆発線図である。
【図７】中空状外部回転軸と、第１回転ディスクと、第１突っ張り具と、第１金属ばね板と、両面の電気回路板の立体図である。
【図８】内部回転軸と、第２回転ディスクと、第２突っ張り具と、第２金属ばね板と、両面の電気回路板の立体図である。
【図９Ａ】中空状外部回転軸と、第１回転ディスクと、第１突っ張り具と、第１金属ばね板と、内部回転軸と、第２回転ディスクと、第２突っ張り具と、第２金属ばね板と、両面の電気回路板の側面図である。
【図９Ｂ】中空状外部回転軸と、第１回転ディスクと、第１突っ張り具と、第１金属ばね板と、内部回転軸と、第２回転ディスクと、第２突っ張り具と、第２金属ばね板と、両面の電気回路板の側面図である。
【図１０Ａ】主カーバーと底部カーバーの立体図である。
【図１０Ｂ】主カーバーと底部カーバーの立体図である。
【発明を実施するための形態】
【００１７】
本発明の斬新なロータリスイッチをより詳しく説明するため、図面と合わせて好ましい実施例を以下のとおり詳細に説明する。
【実施例】
【００１８】
図３と図４の、本発明の斬新なロータリスイッチの立体図及び、図５と図６の、本発明の斬新なロータリスイッチの爆発線図を参照する。
図に示すように、本発明の斬新なロータリスイッチ１は、主カーバー１０と、底部カーバープレート１６と、中空状外部回転軸１１と、第１回転ディスク１２と、第１突っ張り具１３と、第１金属ばね板１４と、内部回転軸１１ａと、第２回転ディスク１２ａと、第２突っ張り具１３ａと、第２金属ばね板１４ａと、両面の電気回路板１５と、を含む。そのうち、主カーバー１０の内部に収容溝１０１を形成していて、かつ最上部より回転軸ブッシュから延在されている。さらに、底部カーバープレート１６を主カーバー１０に結合して、収容溝１０１を被せる。本発明において、底部カーバープレート１６と、主カーバー１０とを合わせて、ロータリスイッチケースを構成し、ロータリスイッチケースに引き出し穴１０３を有する。
【００１９】
引き続き図３ないし図６及び図７の、中空状外部回転軸１１と、第１回転ディスク１２と、第１突っ張り具１３と、第１金属ばね板１４と、両面の電気回路板１５の立体図を参照する。
図に示すように、中空状外部回転軸１１を収容溝１０１に収容していて、かつ中空状外部回転軸１１の第１上端１１１が回転軸ブッシュ１０２に沿って、主カーバー１０の外部につき出しており、中空状外部回転軸１１の第１底端１１２を第１回転ディスク１２に結合している。この他に、第１回転ディスク１２において、ディスク縁部に形成する複数の第１溝１２１と、ディスク表面に形成する第３回動制限ブロック１２２と、ディスク底面に形成する第１弾性結合具１２３と、を含む。
本発明の設計によれば、第１突っ張り具１３に第１ばねＳ１の第１ばね収容溝１３１は、複数の第１溝１２１いずれか一つの嵌め込みに用いられ、第１ばねＳ１から提供する第１ばねの付勢力によって、第１回転ディスク１２に突っ張って置き、第１回転ディスク１２を特定の回動角度に維持させる。さらに、第１金属ばね板１４は、第１取付部１４１と、複数の第１電気接触部１４２と、を含む。そのうち、第１取付部１４１を第１回転ディスク１２底部の第１弾性結合具１２３と互いに固定することによって、第１金属ばね板１４を第１回転ディスク１２の底面に取り付ける。複数の第１電気接触部１４２が第１斜角より第１取付部１４１から下方に伸ばしてつき出す。
【００２０】
引き続き図３ないし図６及び図８の、内部回転軸１１ａと、第２回転ディスク１２ａと、第２突っ張り具１３ａと、第２金属ばね板１４ａと、両面の電気回路板１５の立体図を参照する。
図に示すように、内部回転軸１１ａを中空状外部回転軸１１の内部に収容していて、かつ内部回転軸１１ａの第２上端１１１ａが中空状外部回転軸１１と、回転軸ブッシュ１０２に沿って、主カーバー１０の外部につき出している。第２回転ディスク１２ａを内部回転軸１１ａの第２底端１１２ａに接続していて、かつ第２回転ディスク１２ａにおいて、ディスクの縁部に形成する複数の第２溝１２１ａと、ディスク表面に形成する第４回動制限ブロック１２２ａと、ディスク上面に形成する第２弾性結合具１２３ａとを設けられている。
【００２１】
本発明において、第２突っ張り具１３ａには第２ばねＳ２を収容するための第２ばね収容溝１３１ａが設けられている。本発明において、第２突っ張り具１３ａを複数の第２溝１２１ａいずれか一つに嵌め込み、第２ばねＳ２から提供する第２ばねの付勢力によって、第２回転ディスク１２ａを突っ張ることによって、第２回転ディスク１２ａを特定の回動角度に維持させる。さらに、第２金属ばね板１４ａは、第２取付部１４１ａと、複数の第２電気接触部１４２ａと、を含む。そのうち、第２取付部１４１ａを第２回転ディスク１２ａ底部の第２弾性結合具１２３ａと互いに固定することによって、第２金属ばね板１４ａを第２回転ディスク１２ａの底面に取り付ける。複数の第２電気接触部１４２ａが第１斜角より第２取付部１４１ａから下方に伸ばしてつき出す。
【００２２】
引き続き図３ないし８及び図９Ａと９Ｂの、中空状外部回転軸１１と、第１回転ディスク１２と、第１突っ張り具１３と、第１金属ばね板１４と、内部回転軸１１ａと、第２回転ディスク１２ａと、第２突っ張り具１３ａと、第２金属ばね板１４ａ及び両面の電気回路板１５の側面図を参照する。
図に示すように、両面の電気回路板１５において、その上面に形成する複数の第１電気導通区域１５１と、その下面に形成する複数の第２電気導通区域１５２と、を設けられている。さらに、両面の電気回路板１５の上方は、センター穴１５３と、電気導通区域１５４と、がさらに設けられている。そのうち、センター穴１５３を内部回転軸１１ａの第２底端１１２ａに装着することによって、両面の電気回路板１５を第１回転ディスク１２と、第２回転ディスク１２ａとの間に位置される。これにより、第１金属ばね板１４の複数の第１電気接触部１４２を複数の第１電気導通区域１５１の上方に接触できると共に、第２金属ばね板１４ａの複数の第２電気接触部１４２ａを複数の第２電気導通区域１５２に接触することができる。
さらに、電気導通区域１５４が引き出し穴１０３を介して、ロータリスイッチケースの外部に引き出すことによって、リード線組２の複数の半田リード２１をそれぞれ電気導通区域１５４に取り付けられた複数の半田付け穴１５４１に半田付けすることができる。
【００２３】
引き続き図１０Ａと１０Ｂの、主カーバー１０と、底部カーバープレート１６の立体図を参照する。図に示すように、主カーバー１０は以下の特殊構造をさらに有しており、収容溝１０１の底部に形成する２つの第１回動制限ブロック１０４と、主カーバー１０の一側に形成する側面切り欠き１０５と、回転軸ブッシュ１０２の両側に対向して形成する２つの肩部締め付け具１０６と、主カーバー１０側方の周りに形成する複数の第１締結具１０７と、収容溝１０１の側壁表面に形成する嵌着柱１０９と、を含む。そのうち、２つの第１回動制限ブロック１０４が第１回転ディスク１２の第３回動制限ブロック１２２と互いに組み合わせて、第１回転ディスク１２に対して回動を制限する。
さらに、それぞれの肩部締め付け具１０６の内部に板状ナット３を収容するためのナット収容溝１０６１が設けられている。これにより、少なくとも２つのスクリューと、少なくとも２つの肩部締め付け具１０６内部の板状ナット３とを互いに組み合わせることによって、斬新なロータリスイッチをいずれかの電気製品に結合することが出来る。
【００２４】
主カーバー１０と合わせて、底部カーバープレート１６にもいくつかの特殊構造が設けられている。少なくとも２つの支え溝１０８に嵌着するため少なくとも２つの支え具１６１と、複数の第１締結具１０７を互いに締結するための複数の第２締結具１６２と、底部カーバープレート１６の最上部表面の上方に形成する２つの第２回動制限ブロック１６３と、底部カーバープレート１６の最上部表面の縁部一側に形成するつき出し壁１６４と、が設計されている。そのうち、２つの第２回動制限ブロック１６３は第２回転ディスク１２ａの第４回動制限ブロック１２２ａと互いに組み合わせて、第２回転ディスク１２ａに対して回動を制限する。さらに、側方つき出し壁１６４が主カーバー１０側方の側方切り欠き１０５と互いに組み合わせて、ロータリスイッチケースの引き出し穴１０３を構成する。
【００２５】
図３に示すように、本発明の斬新なロータリスイッチ１は、エンジニアを正しい取り付け方向に案内して、斬新なロータリスイッチ１をいずれかの電気製品へ正確に取り付ける二重安全構造が特別に設計されている。
図３に示すように、主カーバー１０において、主カーバー１０の最上部表面に形成し回転軸ブッシュ１０２の周りに位置する二重安全切り欠き１００をさらに含む。そのうち、二重安全切り欠き１００は四分の一の円弧形の切り欠きを形成する。この他に、主カーバー１０と合わせて、両面の電気回路板１５に切り欠き１５５がさらに設計されている。そのうち、切り欠き１５５は嵌着柱１０９を嵌着するために用いられ、これにより、両面の電気回路板１５を収容溝１０１の内部へ安定して収容することができる。
【００２６】
ここで、特に説明しておきたいことは、本発明で取り上げた図面には、ロータリスイッチの回転ヘッドを示していない点である。その理由は回転ヘッドがロータリスイッチの必需部品であるため、図面での記載は省略されている。図４と５に示すように、本発明は中空状外部回転軸１１の第１上端１１１にＣ形取付リング１７を嵌着するための嵌着溝１１３を設けている。これにより、エンジニアが本発明の斬新なロータリスイッチ１を適用したときに、Ｃ形取付リング１７を回転ヘッドと結合させることによって、回転ヘッドが第２上端１１１ａと第１上端１１１を収容することによって、中空状外部回転軸１１と、内部回転軸１１ａに結合することができる。
以上は本発明の斬新なロータリスイッチの構成品と技術特徴を完全、かつ詳しく説明している。
【符号の説明】
【００２７】
１  斬新なロータリスイッチ
１０  主カーバー
１６  底部カーバープレート
１１  中空状外部回転軸
１２  第１回転ディスク
１３  第１突っ張り具
１４  第１金属ばね板
１１ａ  内部回転軸
１２ａ  第２回転ディスク
１３ａ  第２突っ張り具
１４ａ  第２金属ばね板
１５  両面の電気回路板
１０１  収容溝
１０２  回転軸ブッシュ
１０３  引き出し穴
１１１  第１上端
１１２  第１底端
１２１  第１溝
１２２  第３回動制限ブロック
１２３  第１弾性結合具
１３１  第１ばね収容溝
Ｓ１  第１ばね
１４１  第１取付部
１４２  第１電気接触部
１１１ａ  第２上端
１１２ａ  第２底端
１２１ａ  第２溝
１２２ａ  第４回動制限ブロック
１２３ａ  第２弾性結合具
１３１ａ  第２ばね収容溝
Ｓ２  第２ばね
１４１ａ  第２取付部
１４２ａ  第２電気接触部
１５１  第１電気導通区域
１５２  第２電気導通区域
１５３  センター穴
１５４  電気導通区域
２  リード線組
１５４１  半田付け穴
２１  半田リード
１０４  第１回動制限ブロック
１０５  側方切り欠き
１０６  肩部締め付け具
１０７  第１締結具
１０９  嵌着柱
１０６１  ナット収容溝
３  板状ナット
１０８  支え溝
１６１  支え具
１６２  第２締結具
１６３  第２回動制限ブロック
１６４  側方つき出し壁
１００  二重安全切り欠き
１５５  切欠き
１１３  嵌着溝
１７  Ｃ形取付リング
１’  ロータリスイッチ
１０Ａ’  カーバー体
１０Ｂ’  ベース
２’  回転ユニット
３’  基板
４’  回転ディスク突っ張り具
５’  ばね
６’  スイッチ組
１１’  第１開口部
１２’  第２開口部
２０’  回転本体
２２’  回転ディスク
２１’  カム
２３’  導電プレート
３１’  とおり穴
３０’  電気導通区域
２２０’  溝
２３０’  導電突起部
１００’  第１締結具
１０１’  第２締結具
１０４’  嵌め合わせ具
【要約】
【課題】斬新なロータリスイッチを提供する。
【解決手段】本発明の斬新なロータリスイッチは２軸双方向回転（可能）の設計となっており、最大の切り換え段数が３２段に及ぶ。この他に、ばね収容溝に突っ張り具を設けて、圧縮ばねをその内部に収容及び制限することによって、ばねが力を受けて圧縮されたときの折り曲げを避けられる。この方式によれば、突っ張り具を完全に回転ディスクの溝に嵌め込み、電気製品の機能切り換えを順調に行うことが出来る。
【選択図】図５【図１】
0005959688.tif 000002
【図２】
0005959688.tif 000003
【図３】
0005959688.tif 000004
【図４】
0005959688.tif 000005
【図５】
0005959688.tif 000006
【図６】
0005959688.tif 000007
【図７】
0005959688.tif 000008
【図８】
0005959688.tif 000009
【図９Ａ】
0005959688.tif 000010
【図９Ｂ】
0005959688.tif 000011
【図１０Ａ】
0005959688.tif 000012
【図１０Ｂ】
0005959688.tif 000013